【事件の表示】
　特願２００３−３５３５９７「遊技システム、並びにそのような遊技システムに用いられる遊技機、及び遊技方法」拒絶査定不服審判事件〔平成１７年　５月１２日出願公開、特開２００５−１１８１０４〕について、次のとおり審決する。
【結　論】
　本件審判の請求は、成り立たない。
【理　由】
第１　手続の経緯
　本願は、平成１５年（２００３年）１０月１４日に出願した特願２００３−３５３５９７号であって、平成１９年１１月９日付けで手続補正がなされ、同年１２月６日付けで拒絶査定がなされ、これに対して、平成２０年１月９日に拒絶査定不服審判の請求がなされ、同年２月７日付けで手続補正がなされたものである。
　その後、平成２０年１０月２８日付けで当審から請求人に審尋を行い、期間を指定して回答書を提出する機会を与えたが、請求人からは何らの応答もない。
　
第２　平成２０年２月７日付けの手続補正についての補正の却下の決定について
　
［補正の却下の決定の結論］
　平成２０年２月７日付けの手続補正（以下、「本件補正」という。）を却下する。
　
［補正の却下の決定の理由］
１　本件補正について
（１）本件補正により、特許請求の範囲については、平成１９年１１月９日付けの手続補正により補正された特許請求の範囲の、
「【請求項１】
　予想の対象となる各種イベントのオッズを設定するオッズ設定用の端末と、
　前記端末によって設定されたオッズ情報を、通信手段を介して受信する複数の遊技機とを備えた遊技システムであって、
　各遊技機は、
　前記イベント以外の遊技機本来の遊技を実行する遊技装置と、
　前記遊技装置で行なわれる遊技の実行を制御すると共に、遊技媒体の受付／払出を制御する遊技制御手段と、
　前記受信したオッズ情報について、そのオッズによるイベントに対する投票を受付けるブックゲーム制御手段と、
　ブックゲームおよび遊技機本来の遊技の画像を表示する表示装置と、
　前記表示装置におけるブックゲーム画像の表示と遊技機本来の遊技画像の表示との間での遊技者による双方向の切り換えを可能にする表示切換手段と、
を有し、
　前記ブックゲーム制御手段は、前記遊技装置の遊技において払い出されるべき遊技媒体を利用して前記イベントに対する投票を可能にすることを特徴とする遊技システム。
　　【請求項２】
　前記ブックゲーム制御手段が、前記イベントについて投票を受付けた場合、遊技者に対して前記イベントについての投票結果の情報を出力する投票結果出力手段を有することを特徴とする請求項１に記載の遊技システム。
　　【請求項３】
　前記遊技機は、ブックゲームによる投票結果が当選していた場合、払い出された遊技媒体を用いて遊技装置で遊技可能であることを特徴とする請求項１または請求項２に記載の遊技システム。
　　【請求項４】
　遊技を実行する遊技装置と、
　前記遊技装置で行なわれる遊技の実行を制御すると共に、遊技媒体の受付／払出を制御する遊技制御手段とを有する遊技機であって、
　前記遊技機は、
　予想の対象となる各種イベントについて、設定されたオッズ情報を受信する通信制御部と、
　前記受信したオッズ情報について、そのオッズによるイベントに対する投票を受付けるブックゲーム制御手段と、
　前記遊技の操作を行なうと共に、投票操作を行なう操作部と、
　ブックゲームおよび前記遊技装置による遊技の画像を表示する画像表示装置と、
　を有し、
　前記操作部は、前記表示装置におけるブックゲーム画像の表示と遊技機本来の遊技画像の表示との間での遊技者による双方向の切り換えを可能にすることを特徴とする遊技機。
　　【請求項５】
　前記ブックゲーム制御手段が、前記イベントについての投票を受付けた場合、遊技者に対して前記イベントについての投票結果の情報を出力する投票結果出力手段を有することを特徴とする請求項４に記載の遊技機。
　　【請求項６】
　前記ブックゲーム制御手段は、前記通信制御部を介して受信した前記各種イベントに関連する情報、及びオッズ情報を、前記画像表示装置で表示させることを特徴とする請求項４又は５に記載の遊技機。」が、
　
「【請求項１】
　対応する遊技媒体を用いた遊技を可能にする複数の遊技機と、
　予想の対象となる各種イベントのオッズを設定するとともに、設定されたオッズ情報を通信手段を介して前記複数の遊技機へ配信する、前記複数の遊技機に共通のオッズ設定用の端末と、
　を備えた遊技システムであって、
　前記各遊技機は、
　前記イベント以外の遊技機本来の遊技を実行する遊技装置と、
　前記遊技装置で行なわれる遊技の実行を制御すると共に、遊技媒体の受付／払出を制御する遊技制御手段と、
　前記受信したオッズ情報について、そのオッズによるイベントに対する投票を受付けるブックゲーム制御手段と、
　ブックゲームおよび遊技機本来の遊技の画像を表示する表示装置と、
　前記表示装置におけるブックゲーム画像の表示と遊技機本来の遊技画像の表示との間での遊技者による双方向の切り換えを可能にする表示切換手段と、
　前記複数ある遊技機のそれぞれの本来の遊技で使用される遊技媒体を、全ての遊技機に共通のブックゲームにおいて受け付け且つ払い出すための受付／払出装置と、
　を有し、
　前記ブックゲーム制御手段は、前記受付／払出装置により、各遊技機本来の遊技において払い出されるべき遊技媒体を利用して前記イベントに対する投票を可能にすることを特徴とする遊技システム。
　　【請求項２】
　前記ブックゲーム制御手段が、前記イベントについて投票を受付けた場合、遊技者に対して前記イベントについての投票結果の情報を出力する投票結果出力手段を有することを特徴とする請求項１に記載の遊技システム。
　　【請求項３】
　前記遊技機は、ブックゲームによる投票結果が当選していた場合、払い出された遊技媒体を用いて遊技装置で遊技可能であることを特徴とする請求項１または請求項２に記載の遊技システム。
　　【請求項４】
　前記ブックゲーム制御手段は、前記通信手段を介して受信した前記各種イベントに関連する情報、及びオッズ情報を、前記表示装置で表示させることを特徴とする請求項１ないし請求項３のいずれか１項に記載の遊技システム。」と補正された。
　
（２）本件補正による特許請求の範囲の補正は、
ア　請求項１に係る発明において、「複数の遊技機」について「対応する遊技媒体を用いた遊技を可能にする」ものであることを明確にして限定する補正事項、
イ　請求項１に係る発明において、「予想の対象となる各種イベントのオッズを設定するオッズ設定用の端末」について、「予想の対象となる各種イベントのオッズを設定するとともに、設定されたオッズ情報を通信手段を介して前記複数の遊技機へ配信する、前記複数の遊技機に共通のオッズ設定用の端末」とさらに特定して限定する補正事項、
ウ　請求項１に係る発明において、遊技機が有する装置として「前記複数ある遊技機のそれぞれの本来の遊技で使用される遊技媒体を、全ての遊技機に共通のブックゲームにおいて受け付け且つ払い出すための受付／払出装置」を付加して限定する補正事項、
エ　請求項１に係る発明において、「前記遊技装置の遊技において払い出されるべき遊技媒体」について「前記受付／払出装置により、各遊技機本来の遊技において払い出されるべき遊技媒体」とさらに特定して限定する補正事項、
オ　補正前の請求項４ないし６を削除する補正事項、
カ　補正前の請求項６に直接記載された内容によって補正後の請求項１ないし３のいずれか１項に記載の遊技システムを限定して、補正後の新たな請求項４とする補正事項
からからなる。
　
（３）そして、上記ウの補正事項については、新たな特定事項（構成要件）を付加する補正であり、そして、当該付加された特定事項（構成要件）に関連する技術課題が加わったことになるから、ウの補正事項による補正の前後で発明が解決しようとする課題が同一であるということはできない。よって、本件補正による特許請求の範囲の請求項１の補正は、いわゆる限定的減縮を目的とするものということはできないから、平成１８年法律第５５号改正附則第３条第１項によりなお従前の例によるとされる同法による改正前の特許法（以下「平成１８年改正前特許法」という。）第１７条の２第４項第２号に掲げる事項を目的とする補正ということはできない。また、本件補正における特許請求の範囲の請求項１の補正が、同法第１７条の２第４項第１，３，４号に掲げる事項を目的とする補正ではないことは明らかである。
　
（４）また、上記カの補正事項については、新たに請求項を付加する、いわゆる増項補正であり、平成１８年改正前特許法第１７条の２第４項第１ないし４号に掲げるいずれかの事項を目的とする補正でないことは明らかである。
　なお、補正後の請求項４が、補正前の請求項４ないし６のいずれかの請求項をもとに補正されたものであるとした場合においても、「遊技機」の発明を「遊技システム」の発明に変更する補正事項、及び、補正前の請求項４において特定されていた「前記遊技の操作を行なうと共に、投票操作を行なう操作部」を削除する補正事項を含むことになるから、平成１８年改正前特許法第１７条の２第４項第１ないし４号に掲げるいずれかの事項を目的とする補正ではないことは明らかである。
　
（５）以上のとおりであるから、本件補正は、平成１８年改正前特許法第１７条の２第４項の規定に違反するものであるから、特許法第１５９条第１項において読み替えて準用する同法第５３条第１項の規定によって却下されるべきものである。
　
２　独立特許要件（特許法第２９条第２項）についての検討
（１）上記のとおり、本件補正は平成１８年改正前特許法第１７条の２第４項の規定に違反し、却下されるべきものであるが、念のため、仮に、上記の本件補正が、全体として平成１８年改正前特許法第１７条の２第４項第２号に掲げる事項を目的とする補正であって、同法第１７条の２第４項の規定に違反する補正ではないとした場合に、本件補正によって補正された特許請求の範囲の請求項１に記載された発明（以下、「本願補正発明」という。）が特許出願の際独立して特許を受けることができるものであるか（平成１８年改正前特許法第１７条の２第５項において準用する特許法第１２６条第５項の規定に違反しないか）について検討する。
　
（２）本願補正発明について
　本願補正発明は、平成２０年２月７日付けの手続補正により補正された特許請求の範囲の請求項１に記載されたとおりのものである。（「１　本件補正について」の（１）の項の記載参照。）
　
（３）引用例
ア　引用例１
　原査定の拒絶の理由に引用され、本願の出願前に頒布された刊行物である特開２００２−３２０７５２号公報（以下、「引用例１」という。）には、以下の事項が記載されている。（下記の「イ　引用例に記載された発明の認定」における引用に直接関連した箇所に下線を付した。）
　
「【０００１】
【発明の属する技術分野】本発明は、事業者装置と複数の遊技台とがネットワークにより接続されたネットワークパチンコシステムに関する。」
　
「【０００８】また、本発明の他の目的は、ユーザの好みに合わせた大当たり確率や出玉数を設定することができ、ユーザは移動することなく、現在遊技中の遊技台以外の他の各遊技台の大当たり情報や出玉データ等の情報を得ることができ、パチンコの遊技中に他の映像メディア、音声メディアを視聴することができるとともに、公営賭博等への投票を行うことができるネットワークパチンコシステムを提供することにある。」
　
「【００１９】
【発明の実施の形態】次に、本発明の実施の形態について図面を参照して詳細に説明する。
【００２０】（第１の実施形態）図１は、本発明の第１の実施形態のネットワークパチンコシステムの構成を示すブロック図である。図１に示すネットワークパチンコシステムは、事業者装置３と、この事業者装置３とネットワークを介して接続されたパチンコ遊技台１（以降、遊技台１と略す。）とから構成されている。なお、図１では、遊技台１は１台のみ図示されているが、
実際には複数の遊技台１がネットワークを介して事業者装置３に接続されているものである。
【００２１】
遊技台１は、その表面に液晶表示装置等により構成されるパチンコ画面表示部５１と、機種リスト要求手段１１と、機種名選択入力手段１３と、抽選要求手段１５とから構成されている。
【００２２】また、
事業者装置３は、パチンコ機種リストデータベース（ＤＢ）４１と、機種リスト出力手段１２と、パチンコ機種情報データ（ＤＢ）４２と、機種情報抽出手段１４と、リーチ／大当たり抽選手段４３と、抽選結果出力手段２２と、通信手段３１とから構成されている。
【００２３】パチンコ機種情報ＤＢ４２は、パチンコ機種を実現するための複数のプログラムが格納されている。パチンコ機種リストＤＢ４１は、パチンコ機種情報ＤＢ４２に格納されているプログラムにより実現可能なパチンコ機種の機種名の一覧を機種リストとして格納している。
【００２４】機種リスト要求手段１１は、ユーザにより操作され、リスト要求を通信手段３１を介して事業者装置３に送信する。機種リスト出力手段１２は、機種リスト要求手段１１からのリスト要求を入力すると、パチンコ機種リストＤＢ４１から機種リストを抽出し、その機種リストを通信手段３１を介して遊技台１のパチンコ画面表示部５１に出力する。
【００２５】機種名選択入力手段１３は、ユーザにより選択された機種を特定する情報を通信手段３１を介して事業者装置３に送信する。機種情報抽出手段１４は、機種名選択入力手段１３から受信した情報により特定される機種に対応した機種情報をパチンコ機種情報ＤＢ４２から抽出し、抽出されたその機種情報を遊技台１に対して送信する。
【００２６】
抽選要求手段１５は、遊技台１上に設けられているアタッカーにパチンコ玉が入賞すると、抽選要求を通信手段３１を介して事業者装置３に送信する。リーチ／大当たり抽選手段４３は、抽選要求手段１５からの抽選要求を入力すると、現在遊技台１が選択している機種の情報およびその選択されている機種に応じたリーチ／大当たりの確率をパチンコ機種情報ＤＢ４２から読み出し、読み出したその確率に応じてリーチか否か又は大当たりか否かの抽選を行う。抽選結果出力手段１６は、リーチ／大当たり抽選手段４３における抽選結果を通信手段３１を介して遊技台１のパチンコ画面表示部５１に送信する。
【００２７】
パチンコ画面表示部５１は、液晶表示装置等により構成され、遊技台１の盤面全体に設けられていて、事業者装置３から受信した機種リストを表示し、事業者装置３から機種情報を受信すると、その機種情報の表示を行い、抽選結果出力手段１６からの抽選結果を受信するとその抽選結果の表示を行う。
　
「【００３６】（第２の実施形態）次に、図２を参照して、本発明の第２の実施形態に係るネットワークパチンコシステムについて説明する。
【００３７】本実施形態のネットワークパチンコシステムは、事業者装置２０３と複数の遊技台１とがネットワークにより接続されたものである。図２に示す事業者装置２０３は、図１に示した第１の実施形態にける事業者装置３に対して、大当たり情報／出玉管理データベース（ＤＢ）６１と、大当たり確率変動手段６２とが新たに追加されたのみであり、他の構成要件は同一である。」
　
「【００５３】（第４の実施形態）次に、図４を参照して、本発明の第４の実施形態に係るネットワークパチンコシステムについて説明する。本実施形態のネットワークパチンコシステムは、事業者装置４０３と、この事業者装置４０３とネットワークにより接続された１または複数の遊技台４０１とから構成されている。
【００５４】図４に示す第４の実施形態は、図１に示した上記第１の実施形態のネットワークパチンコシステムにおける機能に加えて、事業者装置４０３が設けられている店舗内で遊技するユーザにビデオや放送などの映像メディアを送信するためのものである。
【００５５】
本実施形態における事業者装置４０３は、図１に示した第１の実施形態における事業者装置３に対して、ビデオ／放送データベース（ＤＢ）８１と、放送手段７２とが新たに設けられたものである。
【００５６】また、
本実施形態における遊技台４０１は、図１に示した遊技台１に対して、放送要求手段７１が新たに設けられたものである。
【００５７】なお、図４の構成は、図１の構成に対してビデオ／放送ＤＢ８１、放送手段７２、放送要求手段７１を加えた関連部分のみを示し、その他の構成は省略しているが、この省略部分の構成は図１と同じである。」
　
「【００６５】（第５の実施形態）最後に、図５を参照して、本発明の第５の実施形態に係るネットワークパチンコシステムについて説明する。
【００６６】
本実施形態のネットワークパチンコシステムは、事業者装置５０３と、遊技台５０１と、公営賭博主催者装置５０７とから構成されている。
【００６７】
本実施形態における事業者装置５０３は、図４に示した第４の実施形態における事業者装置４０３に対して、電子投票受付ＤＢ１０１と、入金手段９２と、支払手段９３とが新たに設けられたものである。さらに、本実施形態における遊技台５０１は、図４に示した台４の実施形態における遊技台４０１に対してカード読み取り／書き込み（Ｒ／Ｗ）部１２１と、投票手段９１が新たに設けられたものである。
【００６８】また、
公営賭博主催主催者装置５０７は、電子投票受付データベース（ＤＢ）１１１と、レース結果データベース（ＤＢ）１１２と、配当金データベース（ＤＢ）１１３と、支払手段１１４と、通信手段３２とから構成されている。
【００６９】投票手段９１は、ユーザにより操作され、投票を行う対象および金額からなる投票情報を入力し、その投票情報を事業者装置５０３に送信する。カードＲＷ部１２１は、プリペイドカード等に対して金額情報の課金および加算を行うことができる機能を有している。
【００７０】電子投票受付ＤＢ１０１は、遊技台５０１の投票手段９１からの投票情報を通信手段３１を介して受信すると、投票を行う金額の情報を入金手段９２に送信し、入金手段９２から正常に課金が行われた旨の通知を受信すると、投票を受付、公営賭博主催者装置５０７の電子投票受付ＤＢ１１１に通信手段３２を介して受け付けた投票情報を送信する。
【００７１】入金手段９２は、投票手段９１から通知された投票金額をカードＲＷ部１２１に対して課金し、正常に課金が行われた旨を電子投票受付ＤＢ１０１に送信する。
支払手段９３は、公営賭博主催者装置５０７の支払い手段１１４からの配当金情報を受信すると、その配当金情報に応じた金額情報をカードＲＷ部１２１へ加算する。
【００７２】電子投票受付ＤＢ１１１は、事業者装置５０３からの投票情報を通信手段３２を介して受信すると、その投票情報を格納する。レース結果ＤＢ１１２は、レースが終了すると、そのレース結果を格納する。
配当金ＤＢ１１３は、電子投票受付ＤＢ１１１に格納されている投票情報およびレース結果ＤＢ１１２に格納されているレース結果に基づいて、当該ユーザの配当金を算出し、その配当金情報を支払い手段１１４に送信する。支払手段１１４は、配当金ＤＢ１１３からの配当金情報を受信すると、その配当金情報を通信手段３２を介して事業者装置５０３の支払い手段９３へ送信する。
【００７３】なお、図５の構成は、図４の構成に対して投票手段９１、入金手段９２、支払手段９３を加えた関連部分のみを示し、その他の構成は省略しているが、この省略部分の構成は図４と同じである。
【００７４】図５では、ビデオ／放送ＤＢ８１や電子投票受付ＤＢ１０１は、仲介事業者装置５０３内に構成されている場合を示しているが、事業者装置５０３とは独立して設置されてもよいものである。また、電子投票受付ＤＢ１１１、レース結果ＤＢ１１２、配当金ＤＢ１１３についても、公営賭博主催者装置５０７内に構成されている場合が示されているが、独立して設置されても良いものである。
【００７５】次に、本実施形態のネットワークパチンコシステムの動作について図５を参照して詳細に説明する。
【００７６】先ず、
ユーザがパチンコ画面表示部５１に表示された公営賭博放送を見ながら、投票を行うレース、金額等を決定し、投票を行う対象および金額を投票手段９１に入力すると、投票手段９１は入力された投票情報を事業者装置５０３に送信する。
【００７７】公営賭博主催者装置５０７の電子投票受付ＤＢ１１１は、事業者装置５０３からの投票情報を通信手段３２を介して受信すると、その投票情報を格納する。また、レースが終了すると、レース結果ＤＢ１１２はそのレース結果を格納する。次に、
配当金ＤＢ１１３は、電子投票受付ＤＢ１１１に格納されている投票情報およびレース結果ＤＢ１１２に格納されているレース結果に基づいて、当該ユーザの配当金を算出し、その配当金情報を支払い手段１１４に送信する。配当金ＤＢ１１３からの配当金情報を受信した支払手段１１４は、その配当金情報を通信手段３２を介して事業者装置５０３の支払い手段９３へ送信する。
【００７８】
事業者装置５０３の支払手段９３は、公営賭博主催者装置５０７の支払い手段１１４からの配当金情報を受信すると、その配当金情報に応じた金額情報をカードＲＷ部１２１へ加算する。
【００７９】本実施形態のネットワークパチンコシステムによれば、パチンコを遊技するための電子マネーを利用し、ユーザがパチンコの遊技を行いながら、公営賭博等に投票する事が可能となる。
【００８０】
【発明の効果】以上説明したように、本発明によれば、下記のような効果を得ることができる。
（１）ユーザは、１つの遊技台において複数の機種の中から選択したパチンコ機種の遊技を行うことができるため、順番待ち等の手間を必要とせずに人気機種の遊技を行うことができる。また、店舗側では、機種情報の変更のみで機種の変更が可能であるため、遊技台の交換・廃棄費用を削減することができる。
（２）ユーザの好みに合わせた大当たり確率や出玉数を設定することができる。
（３）ユーザは、移動することなく、現在遊技中の遊技台以外の他の各遊技台の大当たり情報や出玉データ等の情報を得ることができる。
（４）パチンコの遊技中に他の映像メディア、音声メディアを視聴することができる。
（５）パチンコの遊技中に、公営賭博等への投票を行うことができる。」
　
イ　引用例１に記載された発明の認定
　引用例１の第５の実施形態で示されたネットワークパチンコシステムにおける事業者装置及び遊技台は、第４の実施形態で示されたネットワークパチンコシステムにおける事業者装置及び遊技台の構造を含み（【００６７】段落参照）、また、第４の実施形態で示されたネットワークパチンコシステムにおける事業者装置及び遊技台は、第１の実施形態で示されたネットワークパチンコシステムにおける事業者装置及び遊技台の構造を含む（【００５５】【００５６】段落参照）。また、第２の実施形態において、事業者装置２０３は、大当たり情報／出玉管理データベース（ＤＢ）６１を備える（【００３６】【００３７】段落参照）ことから、第２の実施形態の遊技台、及び、第２の実施形態の遊技台と共通の構造を有する第１の実施形態の遊技台は抽選結果に応じて出玉を払い出す出玉払出し部を備えることは明らかである。よって、引用例１には、ネットワークパチンコシステムに関し、
「事業者装置５０３と、遊技台５０１と、公営賭博主催者装置５０７とから構成されているネットワークパチンコシステムであって、
　遊技台５０１は、その表面に液晶表示装置等により構成されるパチンコ画面表示部５１と、機種リスト要求手段１１と、機種名選択入力手段１３と、抽選要求手段１５と、放送要求手段７１と、カード読み取り／書き込み（Ｒ／Ｗ）部１２１と、投票手段９１とから構成され、
　事業者装置５０３は、パチンコ機種リストデータベース（ＤＢ）４１と、機種リスト出力手段１２と、パチンコ機種情報データ（ＤＢ）４２と、機種情報抽出手段１４と、リーチ／大当たり抽選手段４３と、抽選結果出力手段２２と、通信手段３１と、ビデオ／放送データベース（ＤＢ）８１と、放送手段７２と、電子投票受付ＤＢ１０１と、入金手段９２と、支払手段９３とから構成され、
　公営賭博主催者装置５０７は、電子投票受付データベース（ＤＢ）１１１と、レース結果データベース（ＤＢ）１１２と、配当金データベース（ＤＢ）１１３と、支払手段１１４と、通信手段３２とから構成され、
　複数の遊技台５０１がネットワークを介して事業者装置５０３に接続され、
　遊技台５０１の抽選要求手段１５は、遊技台５０１上に設けられているアタッカーにパチンコ玉が入賞すると、抽選要求を通信手段３１を介して事業者装置５０３に送信し、
　遊技台５０１のパチンコ画面表示部５１は、液晶表示装置等により構成され、遊技台１の盤面全体に設けられていて、事業者装置５０３から受信した機種リストを表示し、事業者装置５０３から機種情報を受信すると、その機種情報の表示を行い、抽選結果出力手段１６からの抽選結果を受信するとその抽選結果の表示を行い、
　遊技台５０１の出玉払出し部において、抽選結果に応じた出玉が払い出され、
　リーチ／大当たり抽選手段４３は、抽選要求手段１５からの抽選要求を入力すると、現在遊技台１が選択している機種の情報およびその選択されている機種に応じたリーチ／大当たりの確率をパチンコ機種情報ＤＢ４２から読み出し、読み出したその確率に応じてリーチか否か又は大当たりか否かの抽選を行い、抽選結果出力手段１６は、リーチ／大当たり抽選手段４３における抽選結果を通信手段３１を介して遊技台５０１のパチンコ画面表示部５１に送信し、
　
　ユーザが遊技台５０１のパチンコ画面表示部５１に表示された公営賭博放送を見ながら、投票を行うレース、金額等を決定し、投票を行う対象および金額を遊技台５０１の投票手段９１に入力すると、投票手段９１は入力された投票情報を事業者装置５０３に送信し、
　公営賭博主催者装置５０７の配当金ＤＢ１１３は、電子投票受付ＤＢ１１１に格納されている投票情報およびレース結果ＤＢ１１２に格納されているレース結果に基づいて、当該ユーザの配当金を算出し、その配当金情報を事業者装置５０３の支払い手段１１４に送信し、支払い手段１１４は、その配当金情報を通信手段３２を介して事業者装置５０３の支払い手段９３へ送信し、支払手段９３は、その配当金情報に応じた金額情報を遊技台５０１のカード読み取り／書き込み（Ｒ／Ｗ）部１２１へ加算するネットワークパチンコシステム。」の発明（以下、「引用発明」という。）が記載されている。
　
ウ　引用例２
　原査定の拒絶の理由に引用され、本願の出願前に頒布された刊行物である特開２００１−２５６３２７号公報（以下、「引用例２」という。）には、以下の事項が記載されている。（下記「（４）当審の判断」において直接参照する箇所に下線を付した。）
　
「【００１３】
【発明の実施の形態】図１は本発明の通信回線に接続する端末機を使用した投票方法を説明するための図である。
【００１４】ここで、
１は端末機であり、例えば、パーソナルコンピュータ（パソコン）或は電話回線に接続可能なゲーム機などでよい。
【００１５】１１は端末機１のデータ処理するマイクロプロセッサ、１２は表示装置、１３はＦＤドライブ、１４は通信回線に接続させるためのインターフェースであり、例えば、この実施例ではＮＴＴの電話回線網の端末とした。１５はキー入力装置、１６はマウスなどのポインティングデバイス、１７は光ディスクドライブ、１８はハードディスクドライブ、２０は記録媒体であり、例えば、この実施例ではＣＤ−ＲＯＭとした。ここで、端末機１はウィンドウ形式の市販のオペレーティングシステムＯＳ１９ｓで制御されている。そのＯＳ１９ｓはハードディスクドライブ１８の記録領域に記憶されている。
【００１６】ＣＤ−ＲＯＭ２０には本発明の投票方法のプログラム手順を記録したアプリケーション１９ａが収納されており、そのＣＤ−ＲＯＭ２０を、端末機１の光ディスクドライブ１７からハードディスクドライブ１８の記録領域にインストールして、端末機１に対して本発明の投票方法による情報取得と勝馬投票の動作を行わせることができる。
【００１７】そのアプリケーション１９ａは、端末機１と後述するホスト電算機３との間の通信手続手段１９ｂと、投票要求及びその応答手段１９ｃと、情報要求及びその応答手段１９ｄとを備える。
【００１８】次に、２は交換機、２ａはそのＮＴＴの電話回線網の通信回線、３はホスト電算機、３ａは投票応答サブシステムであり、利用者の投票内容のチェック、端末機１と後述する計算センターの間にあり、データの中継を行い、３ｂは情報応答サブシステムであり、利用者の要求した情報を後述する情報センター５より検索し、そのデータを端末機１へ送るデータの中継を行う。
【００１９】４は計算センターであり、競馬場内外の多くの地域にある発信端末群６から通信回線で集められる勝馬投票とその金額を逐次集計する。
５は情報センターであり、開催案内、出馬表、オッズ等の情報を、その都度最新の情報に更新蓄積する
　
「【００２８】次に、パドックボタン７１ｂを選択したときのパドックウィンドウ画面９０を図９に示す。その情報取得の流れ線図を図４に示す。ここで、まず場名項目欄９１で場名を選択指定させる。次に、情報取得／表示欄９２で取得ボタンを選択させる。次に、情報欄９３の情報項目であるオッズ（単／複枠）、オッズ（馬／ワイド）、出馬表、馬体重、競走成績の各レース毎の取得したい情報欄を選択させる（Ｓ４１）。次に通信ボタン９４を選択させる（Ｓ４２）。
【００２９】その信号を受け情報要求及びその応答手段１９ｄにより、情報応答サブシステム３ｂと交信し、
情報センター５からの情報を取得し（Ｓ４３）、その情報を端末機１へ返送する
【００３０】尚、前記パドックウィンドウ画面９０のオッズ表示ウィンドウ画面で、通常／人気順ボタンで人気順ボタンを選択させたときは、オッズ表示を上位順に並べて表示する機能がある。
【００３１】また、前記パドックウィンドウ画面９０のオッズ表示ウィンドウ画面で拡大ボタンを選択させれば、例えば１．３倍程度に内容の画面を拡大して表示する機能がある。」
　
（４）本願補正発明と引用発明の対比
ア　対比
　ここで、本願補正発明と引用発明とを対比する。
　
　引用発明の「遊技台５０１」が、対応する遊技媒体を用いた遊技を可能とするものであることはいうまでもないことである。したがって、引用発明のネットワークを介して事業者装置５０３に接続された「複数の遊技台５０１」が、本願補正発明の「対応する遊技媒体を用いた遊技を可能にする複数の遊技機」に相当する。
　
　引用発明の「投票を行うレース」が、本願補正発明の「予想の対象となる各種イベント」に相当する。そして、引用発明の「公営賭博主催者装置５０７」は、「レース結果に基づいて、当該ユーザの配当金を算出」する「配当金ＤＢ１１３」を備えているから、「公営賭博主催者装置５０７」に投票を行うレースのオッズが設定されていること、及び、そのレースのオッズが「複数の遊技機（遊技台）に共通」であることは当然のことであるといえる。したがって、引用発明の「公営賭博主催者装置５０７」と、本願補正発明の「予想の対象となる各種イベントのオッズを設定するとともに、設定されたオッズ情報を通信手段を介して前記複数の遊技機へ配信する、前記複数の遊技機に共通のオッズ設定用の端末」とは、「予想の対象となる各種イベントのオッズを設定する前記複数の遊技機に共通のオッズ設定用の端末」である点一で致する。
　
　引用発明の「ネットワークパチンコシステム」が、本願補正発明の「遊技システム」に相当する。
　
　引用発明の「遊技台５０１のパチンコ画面表示部５１は、液晶表示装置等により構成され、遊技台１の盤面全体に設けられていて、事業者装置３から受信した機種リストを表示し、事業者装置５０３から機種情報を受信すると、その機種情報の表示を行い、抽選結果出力手段１６からの抽選結果を受信するとその抽選結果の表示を行」うことが、本願補正発明の「前記各遊技機は、前記イベント以外の遊技機本来の遊技を実行する遊技装置」を有することに相当する。
　
　引用発明の、「抽選要求手段１５からの抽選要求を入力すると、現在遊技台１が選択している機種の情報およびその選択されている機種に応じたリーチ／大当たりの確率をパチンコ機種情報ＤＢ４２から読み出し、読み出したその確率に応じてリーチか否か又は大当たりか否かの抽選を行」う「リーチ／大当たり抽選手段４３」を構成の一部とする「事業者装置５０３」を有することと、本願補正発明の、「各遊技機」が「前記遊技装置で行なわれる遊技の実行を制御する遊技制御手段」を有することとは、「遊技システム」が「前記遊技装置で行なわれる遊技の実行を制御する遊技制御手段」を有することで一致する。
　
　引用発明の「遊技台５０１の抽選要求手段１５は、遊技台５０１上に設けられているアタッカーにパチンコ玉が入賞すると、抽選要求を通信手段３１を介して事業者装置５０３に送信」すること、及び、「遊技台５０１の出玉払出し部において、抽選結果に応じた出玉が払い出され」ることは、本願補正発明の「各遊技機」が「遊技媒体の受付／払出を制御する」ことに相当する。
　
　引用発明の「公営賭博」は、本願補正発明の「オッズによるイベントに対する投票を受付けるブックゲーム」に相当する。
　そして、引用発明の「遊技台５０１の投票手段９１」は、「ユーザが遊技台５０１のパチンコ画面表示部５１に表示された公営賭博放送を見ながら、投票を行うレース、金額等を決定し、投票を行う対象および金額を投票手段９１に入力すると」、「入力された投票情報を事業者装置５０３に送信」するものであるから、本願補正発明の「各遊技機」の「前記受信したオッズ情報について、そのオッズによるイベントに対する投票を受付けるブックゲーム制御手段」に相当する。
　
　引用発明の「遊技台５０１のパチンコ画面表示部５１」は、「事業者装置５０３から機種情報を受信すると、その機種情報の表示を行い、抽選結果出力手段１６からの抽選結果を受信するとその抽選結果の表示を行」うものであり、また、「公営賭博放送」が表示されるものでもでもあるから、本願補正発明の「ブックゲームおよび遊技機本来の遊技の画像を表示する表示装置」に相当する。
　
　引用発明の「公営賭博」は、全ての遊技台（遊技機）において共通に実行できるものであることは当然であるから、引用発明の「公営賭博」が、本願補正発明の「全ての遊技機に共通のブックゲーム」に相当する。
　そして、引用発明の「公営賭博」において「遊技台５０１の投票手段９１に入力する」「金額」及び「遊技台５０１のカード読み取り／書き込み（Ｒ／Ｗ）部１２１へ加算する」「配当金情報に応じた金額」と、本願補正発明の「全ての遊技機に共通のブックゲームにおいて受け付け且つ払い出す」「複数ある遊技機のそれぞれの本来の遊技で使用される遊技媒体」とは、「全ての遊技機に共通のブックゲームにおいて受け付け且つ払い出す」「遊技機で用いられる価値を有する媒体（以下、「遊技機用価値媒体」という。）」である点で一致する。
　よって、引用発明の「公営賭博」において「金額」を「入力する」「遊技台５０１の投票手段９１」及び「配当金情報に応じた金額」を「加算する」「遊技台５０１のカードＲＷ部１２１」と、本願補正発明の「各遊技機」の「前記複数ある遊技機のそれぞれの本来の遊技で使用される遊技媒体を、全ての遊技機に共通のブックゲームにおいて受け付け且つ払い出すための受付／払出装置」とは、「遊技機用価値媒体を、全ての遊技機に共通のブックゲームにおいて受け付け且つ払い出すための受付／払出装置」である点で一致する。
　
イ　本願補正発明と引用発明の一致点
　したがって、本願補正発明と引用発明とは、
「対応する遊技媒体を用いた遊技を可能にする複数の遊技機と、
　予想の対象となる各種イベントのオッズを設定する前記複数の遊技機に共通のオッズ設定用の端末と、
　を備えた遊技システムであって、
　前記各遊技機は、
　前記イベント以外の遊技機本来の遊技を実行する遊技装置と、
　遊技媒体の受付／払出を制御する手段と、
　前記受信したオッズ情報について、そのオッズによるイベントに対する投票を受付けるブックゲーム制御手段と、
　ブックゲームおよび遊技機本来の遊技の画像を表示する表示装置と、
　遊技機用価値媒体を、全ての遊技機に共通のブックゲームにおいて受け付け且つ払い出すための受付／払出装置と、
　を有し、
　遊技システムが、前記遊技装置で行なわれる遊技の実行を制御する遊技制御手段を有する遊技システム。」の発明である点で一致し、次の各点で相違する。
　
ウ　本願補正発明と引用発明の相違点
（ア）相違点１
　本願補正発明においては、「オッズ設定用端末」が「設定されたオッズ情報を通信手段を介して前記複数の遊技機へ配信する」のに対して、引用発明の「公営賭博主催者装置５０７」は、「設定されたオッズ情報を通信手段を介して前記複数の遊技機へ配信する」かどうかが明確でない点。
　
（イ）相違点２
　「前記遊技装置で行なわれる遊技の実行を制御する」「遊技制御手段」が、本願補正発明においては「各遊技機」に備えられているのに対して、引用発明においては、そのような限定がなされていない点。
　
（ウ）相違点３
　本願補正発明は、各遊技機において「前記表示装置におけるブックゲーム画像の表示と遊技機本来の遊技画像の表示との間での遊技者による双方向の切り換えを可能にする表示切換手段」を備えているのに対して、引用発明においては、その点が明確でない点。
　
（エ）相違点４
　本願補正発明は、「全ての遊技機に共通のブックゲームにおいて受け付け且つ払い出すための受付／払出装置」で用いられる「遊技機用価値媒体」が、「前記複数ある遊技機のそれぞれの本来の遊技で使用される遊技媒体」であり、「各遊技機本来の遊技において払い出されるべき遊技媒体を利用して前記イベントに対する投票を可能にする」ものであるのに対して、引用発明においては、その点の限定がない点。
　
（５）当審の判断
ア　次に、上記相違点について検討する。
（ア）相違点１について
　引用例２には、情報センター５からのオッズ情報を含む情報を、ゲーム機等の端末に送信することが記載されており、「オッズ設定用端末」が「設定されたオッズ情報を通信手段を介して前記複数の遊技機へ配信する」ことが記載されているといえる。
　引用発明においても、引用例２に記載された技術を採用し、上記相違点１に係る本願補正発明の発明特定事項を得ることは、当業者が容易に想到し得たことである。
　
（イ）相違点２について
　遊技の実行のための制御手段を遊技機自体に設けることは、例を挙げるまでもなく、周知の技術である。
　そして、遊技の実行のための制御手段をどこに設けるかは、当業者が必要に応じて適宜設定し得ることであるから、引用発明においても、上記の周知の技術を採用して、「遊技装置で行なわれる遊技の実行を制御する」「遊技制御手段」を「遊技台（各遊技機）」に設けるとして、上記相違点２に係る本願補正発明の発明特定事項を得ることは、当業者が容易に想到し得たことである。
　
（ウ）相違点３について
　複数の遊技を行える遊戯機の表示装置において，表示手段の表示内容を遊技に応じて双方向に切り換える表示切換を設けることは、遊技機の技術分野において、例を挙げるまでもなく周知の技術である。
　引用発明においても、「遊技台５０１のパチンコ画面表示部５１」において、上記の周知の技術を採用し、パチンコに関する「機種情報」や「抽選結果」の表示と、「公営賭博放送」の表示とを切り換える切換手段を設け、上記相違点３に係る本願補正発明の発明特定事項を得ることは、当業者が容易に想到し得たことである。
　
（エ）相違点４について
　複数の遊技を行える遊戯機において、複数の遊技で遊技媒体を共通とし、１つの遊技で払い出される遊技媒体で他の遊技を行えるようにすることは、例を挙げるまでもなく、周知の技術である。
　引用発明においても、上記の周知の技術を採用し、上記相違点１に係る本願補正発明の発明特定事項を得ることは、技術的観点からは、当業者が容易に想到し得たことである。
　なお、技術的観点から、発明の進歩性が否定される以上、引用発明において、「パチンコ」と「公営賭博」の遊技媒体を共通とすることに法律上の制約があったとしても、そのことが、発明の進歩性に影響を与えるものではない。
　
イ　そして、本願補正発明によってもたらされる効果は、引用発明、引用例２に記載された発明、及び、上記の周知技術から当業者が予測し得る程度のものである。
　
ウ　まとめ
　したがって、本願補正発明は、引用発明、引用例２に記載された発明、及び、上記の周知技術に基いて当業者が容易に発明することができたものである。 
　
３　むすび
　以上のとおり、本願補正発明は、引用発明、引用例２に記載された発明、及び、周知技術に基いて、当業者が容易に発明をすることができたものであるから、特許法第２９条第２項の規定により特許を受けることができない。
　したがって、本願補正発明は、特許出願の際独立して特許を受けることができるものではないから、平成１８年改正前特許法第１７条の２第５項において準用する同法第１２６条第５項の規定に違反するものであり、本件補正は、同法第５３条第１項の規定によって却下されるべきものである。
　
第３　本願発明について
１　本願発明
　本件補正は、上記のとおり却下されたので、本願の請求項１に係る発明（以下、「本願発明」という。）は、平成１９年１１月９日付けの手続補正により補正された特許請求の範囲の請求項１に記載されたとおりのものである（「第２　平成２０年２月７日付けの手続補正についての補正の却下の決定について」の「１　本件補正について」の記載参照）。
　
２　引用例
　原査定の拒絶の理由に引用された刊行物の記載事項及び引用発明については、上記「第２　平成２０年２月７日付けの手続補正についての補正の却下の決定について」の「２　独立特許要件（特許法第２９条第２項）についての検討」の「（３）引用例」に記載したとおりである。
　
３　対比・判断
　上記「第２　平成２０年２月７日付けの手続補正についての補正の却下の決定について」の「１　本件補正について」に記載したように、本願発明に対して、
ア　「複数の遊技機」について「対応する遊技媒体を用いた遊技を可能にする」ものであることを明確にして限定し、
イ　「予想の対象となる各種イベントのオッズを設定するオッズ設定用の端末」について、「予想の対象となる各種イベントのオッズを設定するとともに、設定されたオッズ情報を通信手段を介して前記複数の遊技機へ配信する、前記複数の遊技機に共通のオッズ設定用の端末」とさらに特定して限定し、
ウ　遊技機が有する装置として「前記複数ある遊技機のそれぞれの本来の遊技で使用される遊技媒体を、全ての遊技機に共通のブックゲームにおいて受け付け且つ払い出すための受付／払出装置」を付加して限定たものが本願補正発明である。
　そうすると、本願発明の発明特定事項をすべて含み、さらに他の発明特定事項を付加したものに相当する本願補正発明が、上記「第２　平成２０年２月７日付けの手続補正についての補正の却下の決定について」の「２　独立特許要件（特許法第２９条第２項）についての検討」の「（４）本願補正発明と引用発明との対比」及び「（５）当審の判断」において記載したとおり、引用発明、引用例２に記載された発明、及び、周知技術に基いて、当業者が容易に発明をすることができたものであるから、本願発明も、同様に、引用発明、引用例２に記載された発明、及び、周知技術に基いて、当業者が容易に発明をすることができたものである。
　
４　むすび
　以上のとおり、本願発明は、引用発明、引用例２に記載された発明、及び、周知技術に基いて当業者が容易に発明をすることができたものであるから、特許法第２９条第２項の規定により、特許を受けることができない。
　したがって、その余の請求項に係る発明について論及するまでもなく、本願は拒絶すべきものである。
　
　よって、結論のとおり審決する。